(57)【要約】【課題】  所定量毎に文書細断屑を間欠的に供給することができ、設置場所に制限のある極小規模な文書細断屑用古紙再生装置で使用するのに適した文書細断屑供給装置を提供する。【解決手段】  ホッパーと文書細断屑を所定量毎に間欠供給するフィーダーとからなる文書細断屑供給装置であって、該フィーダーが、パルパー用空間部が設けられた架台と、該架台上に載置されると共に該架台のパルパー用空間部に連通する供給用開口部及び該供給用開口部と並んで計量用開口部を穿設してなる矩形テーブルと、該矩形テーブルの供給用開口部及び計量用開口部を囲繞すると共に長手方向の内側壁に案内レールを配設した囲繞枠と、該囲繞枠の案内レールに沿って該矩形テーブルの供給用開口部及び計量用開口部の間を摺動自在とされると共に底板を開閉自在とされた計量容器と、該矩形テーブルの計量用開口部で該計量容器内の文書細断屑の重量を計測する計量手段とを備えるようにした。【選択図】  図１
2006257596.tif 000002
【特許請求の範囲】
【請求項１】
投入された文書細断屑を貯留すると共に下方に文書細断屑を少量ずつ排出するホッパーと、該ホッパーの下方に配置されると共に文書細断屑を所定量毎にパルパーに間欠供給するフィーダーとからなる文書細断屑供給装置であって、該フィーダーが、パルパー用空間部が設けられた架台と、該架台上に載設されると共に該架台のパルパー用空間部に連通する供給用開口部及び該供給用開口部と並んで計量用開口部を穿設してなる矩形テーブルと、該矩形テーブルの供給用開口部及び計量用開口部を囲繞すると共に長手方向の内側壁に案内レールを配設した囲繞枠と、該囲繞枠の案内レールに沿って該矩形テーブルの供給用開口部及び計量用開口部の間を摺動自在とされると共に底板を開閉自在とされた計量容器と、該矩形テーブルの計量用開口部で該計量容器内の文書細断屑の重量を計測する計量手段とを備えることを特徴とする文書細断屑供給装置。
【請求項２】
前記計量容器がトイレットペーパー１ロール分の文書細断屑を収容可能な容量を有することを特徴とする請求項１記載の文書細断屑供給装置。
【請求項３】
前記計量手段が前記矩形テーブルの計量用開口部に遊嵌した計量台と、該計量台を荷重受部で支持したロードセルとから構成されてなることを特徴とする請求項１又は２記載の文書細断屑供給装置。
【請求項４】
前記文書細断屑の所定量はトイレットペーパー１ロール分であることを特徴とする請求項１〜３のいずれか１項記載の文書細断屑供給装置。
【請求項５】
前記ホッパーが上方に開放した広口の投入口と、該投入口から下方に向けて次第に縮径したシュートと、該シュートの下端で下方に開放した狭口の排出口と、該排出口の通路内で回動自在に軸支された複数の掻出羽根と、該排出口の下端部を閉塞可能なシャッターとから構成されてなることを特徴とする請求項１〜４のいずれか１項記載の文書細断屑供給装置。
【発明の詳細な説明】
【技術分野】
【０００１】
本発明は、文書細断機によって細断された文書細断屑を供給する装置に係り、特には、文書細断屑用古紙再生装置で用いられる文書細断屑供給装置に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該離解された再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、槽と槽の内底部に攪拌手段を備え、文書細断機によって細断された古紙を離解して再生パルプ懸濁液とするパルパーと、該離解された再生パルプ懸濁液から再生紙を抄造する抄紙機とからなる文書細断屑用古紙再生装置であって、該抄紙機が、再生パルプ懸濁液を噴出する幅広の噴出口が設けられたヘッドボックスを有し、該再生パルプ懸濁液を該ヘッドボックスから噴出するストックインレット部と、金属製ワイヤー又は合成樹脂製ワイヤーを円筒状に製織してなり、回動自在に軸支された丸網ドラムを有し、該噴出された再生パルプ懸濁液を該丸網ドラムの外周面上で再生パルプ湿潤シートに形成するワイヤーパート部と、複数の回転自在なローラ間に係回された無端のフェルト帯と、一対のプレスローラを有し、該形成された再生パルプ湿潤シートを該フェルト帯に移し取って該プレスローラで搾水するプレスパート部と、内部中空の筐体と、該筐体内部を左空隙部、中央空隙部及び右空隙部の３区画に仕切り且つ多数の通風孔が穿孔された２枚の仕切板と、少なくとも一部が上下又は左右に交互に配置されるように該２枚の仕切板の間に掛架された複数の回転自在なローラと、該ローラ間に係回された無端帯状のキャンバスとを有する乾燥チャンバー、並びに該乾燥チャンバーと連通し、該乾燥チャンバー内の雰囲気を循環しつつ除湿乾燥するヒートポンプ方式の除湿乾燥機からなるドライヤーを有し、該搾水された再生パルプ湿潤シートを乾燥して再生紙とするドライヤーパート部と、回転自在のリールを有し、該乾燥された再生紙を巻き取るリールパート部と、を備えるようにした文書細断屑用古紙再生装置を既に提案した（特願２００４−３３６４９２号）。
【０００４】
ここで、文書細断機によって細断された古紙（文書細断屑）を離解して再生パルプ懸濁液とするパルパーには、その前段として、文書細断屑を貯留しておき、適宜パルパーに文書細断屑を供給するための供給装置が必要となるが、そもそも文書細断屑のリサイクルは殆ど図られていないため、文書細断屑専用の供給装置というものは存在しない。また、従来の一般的に市販されているホッパーやフィーダーは、大量の原材料を連続的に定量供給するための大型の装置であり、設置場所に制限のある上記文書細断屑用古紙再生装置には不向きである。更に、上記文書細断屑用古紙再生装置では、トイレットペーパー１ロール分（１００ｇ〜３００ｇ程度）の文書細断屑が溜まる毎に製紙したり、トイレットペーパー１ロール分を１バッチとしてバッチ処理で製紙することが望ましいが、従来の一般的に市販されているホッパーやフィーダーは、トイレットペーパー１ロール分毎に時間を置いて文書細断屑を供給するというような使用態様に適したものではなかった。
【特許文献１】特開平１０−３１７２９０号公報
【発明の開示】
【発明が解決しようとする課題】
【０００５】
本発明は、上記問題点に鑑みてなされたものであり、所定量毎に文書細断屑を間欠的に供給することができ、設置場所に制限のある極小規模な文書細断屑用古紙再生装置で使用するのに適した文書細断屑供給装置を提供することを目的とし、ひいては、文書細断屑の再生を企業、官庁、組合、団地或いは地方公共団体等の各組織単位で行い得るようにして、焼却・埋め立て処分とされていた文書細断屑のリサイクルを可能とし、省資源・省エネルギー化、古紙回収にかかる時間短縮や労力軽減を図ることにある。
【課題を解決するための手段】
【０００６】
本発明の細断屑供給装置は、投入された文書細断屑を貯留すると共に下方に文書細断屑を少量ずつ排出するホッパーと、該ホッパーの下方に配置されると共に文書細断屑を所定量毎にパルパーに間欠供給するフィーダーとからなる文書細断屑供給装置であって、該フィーダーが、パルパー用空間部が設けられた架台と、該架台上に載置されると共に該架台のパルパー用空間部に連通する供給用開口部及び該供給用開口部と並んで計量用開口部を穿設してなる矩形テーブルと、該矩形テーブルの供給用開口部及び計量用開口部を囲繞すると共に長手方向の内側壁に案内レールを配設した囲繞枠と、該囲繞枠の案内レールに沿って該矩形テーブルの供給用開口部及び計量用開口部の間を摺動自在とされると共に底板を開閉自在とされた計量容器と、該矩形テーブルの計量用開口部で該計量容器内の文書細断屑の重量を計測する計量手段とを備えることを特徴とする。
【０００７】
前記計量容器はトイレットペーパー１ロール分の文書細断屑を収容可能な容量を有することが好ましい。
【０００８】
前記計量手段は前記矩形テーブルの計量用開口部に遊嵌した計量台と、該計量台を荷重受部で支持したロードセル（ひずみゲージ式荷重変換器）とから構成されてなることが好適である。
【０００９】
前記文書細断屑の所定量はトイレットペーパー１ロール分であることが好ましい。
【００１０】
前記ホッパーが上方に開放した広口の投入口と、該投入口から下方に向けて次第に縮径したシュートと、該シュートの下端で下方に開放した狭口の排出口と、該排出口の通路内で回動自在に軸支された複数の掻出羽根と、該排出口の下端部を閉塞可能なシャッターとから構成されてなることが好適である。
【発明の効果】
【００１１】
本発明によれば、所定量毎に文書細断屑を間欠的に供給することができ、設置場所に制限のある極小規模な文書細断屑用古紙再生装置で使用するのに適した文書細断屑供給装置を提供することができ、ひいては、文書細断屑の再生を企業、官庁、組合、団地或いは地方公共団体等の各組織単位で行い得るようにして、焼却・埋め立て処分とされていた文書細断屑のリサイクルを可能とし、省資源・省エネルギー化、古紙回収にかかる時間短縮や労力軽減を図ることができるという大きな効果を奏する。
【発明を実施するための最良の形態】
【００１２】
以下に本発明の実施の形態を添付図面に基づいて説明するが、図示例は例示的に示されたもので、本発明の技術的思想から逸脱しない限り種々の変形が可能なことは言うまでもない。
【００１３】
図１は、本発明の文書細断屑供給装置の全体的構成の一例を示す側面説明図である。図２は、本発明におけるフィーダーを示す側面説明図である。図３は、図２の平面説明図である。図４は、本発明におけるフィーダーであって、計量容器を供給用開口部側に摺動させた状態を示す上方斜視説明図である。図５は、本発明におけるフィーダーであって、計量容器の底板をスライドさせた状態を示す側面説明図である。図６は、図５の底面説明図である。図７は、計量容器を示す下方斜視説明図である。図８は、矩形テーブル及び計量手段を示す下方斜視説明図である。図９は、本発明におけるホッパーを示す上方斜視説明図である。図１０は、図９の下方斜視説明図である。図１１は、掻出羽根を示す斜視説明図である。図中、符号２は本発明の文書細断屑供給装置であり、符号１０はフィーダーであり、符号１００はホッパーである。
【００１４】
本発明の文書細断屑供給装置２は、投入された文書細断屑を貯留すると共に下方に文書細断屑を少量ずつ排出するホッパー１００と、ホッパー１００の下方に配置されると共に文書細断屑を所定量毎にパルパー（不図示）に間欠供給するフィーダー１０とから構成されているものである（図１参照）。
【００１５】
まず、フィーダー１０の構造について、図１及び図２〜図８に基づいて説明する。フィーダー１０は、パルパー用空間部１５が設けられた架台１２と、架台１２上に載設されると共に該架台のパルパー用空間部１５に連通する供給用開口部１７及び供給用開口部１７と並んで計量用開口部１８を穿設してなる矩形テーブル１６と、矩形テーブル１６の供給用開口部１７及び計量用開口部１８を囲繞すると共に長手方向の内側壁に案内レール２２を配設した囲繞枠２０と、囲繞枠２０の案内レール２２に沿って矩形テーブル１６の供給用開口部１７及び計量用開口部１８の間を摺動自在とされると共に底板３４を開閉自在とされた計量容器３０と、矩形テーブル１６の計量用開口部１８で計量容器３０内の文書細断屑の重量を計測する計量手段８０とを備えるものである（図１〜図４等参照）。
【００１６】
架台１２は、金属製の角パイプ材を組み立ててなるものであり、文書細断屑用古紙再生装置（特許文献１又は特願２００４−３３６４９２号参照）におけるパルパー（不図示）を配置するためのパルパー用空間部１５が設けられている（図２〜図４等参照）。架台１２の四隅の脚部には、適宜、平板１４とゴム足１３が具設される。なお、図示例では、架台１２の前後左右を同じ高さにした場合を示しているが、パルパー用空間部１５をより高く確保したい場合等は、パルパー用空間部１５の側にだけ背の高い角パイプ材を用いて架台１２の上部が斜め（例えば傾斜角を１０°〜３０°程度）になるようにしてもよく、この場合は、以下の矩形テーブル１６等は全て傾斜した状態で架台１２に設置すればよい。
【００１７】
矩形テーブル１６は、架台１２の上部に載設された板状部材であり、矩形テーブル１６には、供給用開口部１７と計量用開口部１８が穿設されている（図３、図４及び図８等参照）。供給用開口部１７は、架台１２のパルパー用空間部１５に連通する貫通孔であり、この供給用開口部１７から文書細断屑をパルパーに落下せしめる。また、計量用開口部１８は、後述する計量手段８０を配設するための貫通孔であり、計量手段８０の計量台８２が遊嵌される。
【００１８】
囲繞枠２０は、矩形テーブル１６の供給用開口部１７及び計量用開口部１８を囲繞するように矩形テーブル１６上に立設された枠体である（図２〜図４等参照）。囲繞枠２０には、後述する計量容器３０の進退をガイドするために、長手方向の両側壁の内側に合成樹脂製の案内レール２２が配設されている。また、囲繞枠２０の長手方向の両側壁には、対称的な一端部から中央部にかけて長孔２４，２４が穿孔されている。この長孔２４，２４は、後述するエアシリンダ４０，５０のシリンダシャフト４２，５２の先端に固着された操作片４４，５４を挿通するための貫通孔である。なお、囲繞枠２０には、短尺方向の両側壁にストッパ２８，２８が取り付けられ、矩形テーブル１６の供給用開口部１７の上方にセンサーを取り付けるための取付金具２６が適宜設けられている。
【００１９】
計量容器３０は、略正方形の金属製容器であり、囲繞枠２０内に載置されて、囲繞枠２０の案内レール２２，２２に沿って矩形テーブル１６の供給用開口部１７及び計量用開口部１８の間を摺動自在とされている（図３、図４、図７等参照）。即ち、囲繞枠２０の長手方向の側壁外方に、エアシリンダ４０，５０を対称的に設置し、エアシリンダ４０，５０のシリンダシャフト４２，５２の先端には操作片４４，５４を囲繞枠２０の両側壁の夫々の長孔２４，２４に挿通した状態で固着する。計量容器３０は操作片４４，５４の間に位置するように載置する。そして、エアシリンダ４０，５０のシリンダシャフト４２，５２を伸縮せしめて、操作片４４，５４で計量容器３０を供給用開口部１７の方向又は計量用開口部１８の方向に押圧するようにすれば、計量容器３０を囲繞枠２０の案内レール２２に沿って供給用開口部１７及び計量用開口部１８の間を自由に摺動させる操作を行うことができる。
【００２０】
また、計量容器３０は、その底板３４がスライドして開閉自在とされているものである（図７参照）。即ち、計量容器３０は、短尺角筒状の容器本体３１と、その両側壁の下端に形成された突縁３２，３２と、突縁３２，３２の間をスライドすることによって開閉自在とされた底板３４とから構成されている。突縁３２，３２の下端面には合成樹脂製の短冊片３３，３３を貼着して、矩形テーブル１６上で計量容器３０が滑動し易いようにしてある。底板３４には、一側端に係合凹部３５，３５が形成され、底面には凸条３６，３６，３６が形成されている。係合凹部３５，３５は後述するエアシリンダ７０のシリンダシャフト７２の先端に固着された操作片７４と係合するための部分であり、凸条３６，３６，３６は底板３４が矩形テーブル１６上で滑動し易いようにするための部分である。
【００２１】
さらに、計量容器３０の底板３４をスライドさせるために、矩形テーブル１６の裏側にエアシリンダ７０が設置されており、エアシリンダ７０のシリンダシャフト７２の先端には操作片７４が固着されている（図２、図４、図６等参照）。操作片７４は、底板３４のスライド時に係合凹部３５，３５に係合するようにされている。また、計量容器３０の底板３４をスライドさせる際に、計量容器３０の容器本体３１が不用意に動くのを防ぐために、容器本体３１を一時的に固定するためのエアシリンダ６０が矩形テーブル１６の供給用開口部１７に対応する囲繞枠２０の上方に設置される。エアシリンダ６０は、囲繞枠２０の長手方向の両側壁外方近傍に立設された取付軸６８，６８と、取付軸６８，６８の間に横架された取付プレート６６に取り付けられており、シリンダシャフト６２の先端には操作片６４が固着されている。操作片６４の下面には合成樹脂製の緩衝材６５が貼着され、容器本体３１と接触する際の衝撃を緩和すると共に滑り止めとなっている（図２参照）。従って、計量容器３０の底板３４を開放するためにスライドさせる際には、まず、エアシリンダ６０のシリンダシャフト６２を伸長して操作片６４で容器本体３１の上部を押さえ付けて計量容器３０を一時的に固定した上で、次に、エアシリンダ７０のシリンダシャフト７２を縮退し、底板３４の係合凹部３５，３５に係合した操作片７４で底板３４をスライドせしめることができるようになっている（図５及び図６参照）。
【００２２】
なお、計量容器３０は、文書細断屑をトイレットペーパー１ロール分（１００ｇ〜３００ｇ程度）収容可能な容量を有するものであることが望ましい。前述したように、文書細断屑用古紙再生装置（特許文献１又は特願２００４−３３６４９２号参照）は、設置場所に制限があり、また、トイレットペーパー１ロール単位で製紙を行うため、必要以上の容量は不要だからである。
【００２３】
計量手段８０は、計量台８２と、計量台８２をロッド８４を介して荷重受部８８で支持するロードセル（ひずみゲージ式荷重変換器）８６とから構成されている（図８参照）。計量台８２は、金属製の板状部材であり、適宜、軽量化のための貫通孔８３が穿孔されている。計量台８２は、矩形テーブル１６の計量用開口部１８に遊嵌した状態（計量用開口部１８と計量台８２との間に間隙があるように計量用開口部１８に計量台８２を嵌め込んだ状態）となるように配置し、ロードセル８６は、取付金具８９により架台１２に固定する。これにより、計量容器３０が計量台８２の上に載っている（図３の状態）と、その荷重がロードセル８６の荷重受部８８に伝わるので、ロードセル８６でその荷重の大きさを電気信号に変換して、計量容器３０内の文書細断屑の重量を計測できるようになっている。なお、ロードセルとしては一般に市販されているものを用いればよく、特に種類は限定されない。
【００２４】
次に、ホッパー１００の構造について、図１及び図９〜図１１に基づいて説明する。ホッパー１００は、上記フィーダー１０の上方にホッパー本体１１０を配置するための架台１０２を備え、架台１０２にホッパー本体１１０が載設されている（図１、図９、図１０参照）。架台１０２の四隅の脚部には、適宜、平板１０４とゴム足１０３が具設される。ホッパー本体１１０は、上方に開放した広口の投入口１１１と、投入口１１１から下方に向けて次第に縮径したシュート１１２と、シュート１１２の下端で下方に開放した狭口の排出口１１４とを備え、排出口１１４の通路内には、回動自在に軸支された複数の掻出羽根１２４と、排出口１１４の下端を閉塞可能なシャッター１３４とが設けられている。
【００２５】
掻出羽根１２４は、ホッパー本体１１０内に投入され貯留された文書細断屑を少量ずつ掻き出して排出口１１４から排出するためのものであり、モータ１２５に軸通する回転軸１２１に固設されたブロック体１２２に複数（図示例では６枚）の掻出羽根１２４を固着してなるものである（図１０及び図１１参照）。文書細断屑を掻き出し得るものであれば、掻出羽根１２４の形状は特に限定されないが、先端部を回転方向に折曲した先端折曲部１２４ａを形成することが掻き出し能率の点から好ましい態様である。
【００２６】
シャッター１３４は、排出口１１４からの文書細断屑の排出を停止する際に排出口１１４の下端部を閉塞するためのものであり、シャッター１３４は、排出口１１４の下端部で通路を横断するように貫装されてものである（図１及び図１０参照）。シャッター１３４の基端部はエアシリンダ１３０のシリンダシャフト１３２の先端に固着されており、シリンダシャフト１３２の伸縮により排出口１１４の下端部を閉塞又は開放することが可能となっている。
【００２７】
本発明の文書細断屑供給装置２は、以上の構造を有するフィーダー１０及びホッパー１００により構成されるものであり、このように構成された本発明装置２の全体的な動作について以下に説明する。
【００２８】
（１）文書細断機によって細断された文書細断屑をホッパー１００に投入すると、ホッパー１００では、文書細断屑をホッパー本体１１０内に貯留すると共に、エアシリンダ１３０を操作してシャッター１３４を開放し、モータ１２５を駆動して掻出羽根１２４を回動せしめ、文書細断屑を少量ずつ掻き出して排出口１１４から排出する。
【００２９】
（２）他方、フィーダー１０は、ホッパー１００の下方で、計量容器３０が計量台８２の上に載っている状態（図２及び図３の状態）で待機しており、ホッパー１００から排出された文書細断屑は計量容器３０に収容されつつ、計量手段８０によりその重量が計測され、計量容器３０内に所定量（例えばトイレットペーパー１ロール分の１００ｇ〜３００ｇ程度）の文書細断屑が溜まるまで待機する。
【００３０】
（３）計量容器３０内に所定量の文書細断屑が溜まると、ホッパー１００ではモータ１２５の駆動を停止して掻出羽根１２４を回動を停止し、エアシリンダ１３０を操作してシャッター１３４を閉塞する。他方、フィーダー１０では、エアシリンダ４０を操作して操作片４４で計量容器３０（容器本体３１と底板３４の両方）を押圧し、計量容器３０を矩形テーブル１６の供給用開口部１７の直上まで摺動せしめる（図４の状態）。
【００３１】
（４）そして、エアシリンダ６０を操作して、操作片６４で計量容器３０の容器本体３１の上部を押さえ付けて計量容器３０を一時的に固定した後、エアシリンダ７０を操作して、計量容器３０の底板３４をスライドせしめて開放し、計量容器３０内に収容されていた文書細断屑を矩形テーブル１６の供給用開口部１７から落下せしめる（図５及び図６の状態）。従って、架台１２のパルパー用空間部１５にパルパーを配置しておけば、所定量の文書細断屑がパルパーに供給されることとなる。
【００３２】
（５）文書細断屑を供給した後は、フィーダー１０を元の待機状態（図２及び図３の状態）に戻す。即ち、エアシリンダ６０を操作して、操作片６４による計量容器３０の一時的な固定を解除し、エアシリンダ５０を操作して、操作片５４で計量容器３０（底板３４はスライドしているので容器本体３１のみ）を押圧し、計量容器３０を矩形テーブル１６の計量用開口部１８の直上まで摺動せしめ、計量容器３０が計量台８２の上に載っている状態（図２及び図３の状態）とする。
【００３３】
（６）以下、再び（１）〜（５）を繰り返すことにより、文書細断屑を所定量毎にパルパーに間欠供給することができる。
【００３４】
このようにして、本発明の文書細断屑供給装置２によれば、トイレットペーパー１ロール分を１バッチとしてバッチ処理で製紙を行うのに適した文書細断屑の供給を行うことができ、設置場所に制限のある極小規模な文書細断屑用古紙再生装置（特許文献１乃至特願２００４−３３６４９２号参照）で用いるのに好適な文書細断屑供給装置を提供することができる。
【図面の簡単な説明】
【００３５】
【図１】本発明の文書細断屑供給装置の全体的構成の一例を示す側面説明図である。
【図２】本発明におけるフィーダーを示す側面説明図である。
【図３】図２の平面説明図である。
【図４】本発明におけるフィーダーであって、計量容器を供給用開口部側に摺動させた状態を示す上方斜視説明図である。
【図５】本発明におけるフィーダーであって、計量容器の底板をスライドさせた状態を示す側面説明図である。
【図６】図５の底面説明図である。
【図７】計量容器を示す下方斜視説明図である。
【図８】矩形テーブル及び計量手段を示す下方斜視説明図である。
【図９】本発明におけるホッパーを示す上方斜視説明図である。
【図１０】図９の下方斜視説明図である。
【図１１】掻出羽根を示す斜視説明図である。
【符号の説明】
【００３６】
２：文書細断屑供給装置、１０：フィーダー、１２：架台、１３：ゴム足、１４：平板、１５：パルパー用空間部、１６：矩形テーブル、１７：供給用開口部、１８：計量用開口部、２０：囲繞枠、２２：案内レール、２４：長孔、２６：取付金具、２８：ストッパ、３０：計量容器、３１：容器本体、３２：突縁、３３：短冊片、３４：底板、３５：係合凹部、３６：凸条、４０：エアシリンダ、４２：シリンダシャフト、４４：操作片、５０：エアシリンダ、５４：操作片、６０：エアシリンダ、６２：シリンダシャフト、６４：操作片、６５：緩衝材、６６：取付プレート、６８：取付軸、７０：エアシリンダ、７２：シリンダシャフト、７４：操作片、８０：計量手段、８２：計量台、８３：貫通孔、８４：ロッド、８６：ロードセル、８８：荷重受部、８９：取付金具、１００：ホッパー、１０２：架台、１０３：ゴム足、１０４：平板、１１０：ホッパー本体、１１１：投入口、１１２：シュート、１１４：排出口、１２１：回転軸、１２２：ブロック体、１２４ａ：先端折曲部、１２４：掻出羽根、１２５：モータ、１３０：エアシリンダ、１３２：シリンダシャフト、１３４：シャッター。
【図１】
2006257596.tif 000003
【図２】
2006257596.tif 000004
【図３】
2006257596.tif 000005
【図４】
2006257596.tif 000006
【図５】
2006257596.tif 000007
【図６】
2006257596.tif 000008
【図７】
2006257596.tif 000009
【図８】
2006257596.tif 000010
【図９】
2006257596.tif 000011
【図１０】
2006257596.tif 000012
【図１１】
2006257596.tif 000013